(57)【要約】【課題】    材料費及び据付工事費削減、施工性及び施工品質向上、有効空間確保による維持管理費及び改修工事費削減ができる多機能弁装置およびポンプ施設を提供する。【解決手段】流入路３は上流に流入口３を有する。流出路５は下流に流出口５を有し、流入口３に連通する。弁座７が流入口３の下流に設けられている。逆止弁１が退避路６と弁座７との間に移動可能に設けられ、各弁座７とともに流出口５から各流入口３への逆流を防止する逆止弁を構成する。また、流多機能弁装置への異物の侵入などの不測の事態が生じた際に、止水用ボルト１１を回転させることで、逆止弁１を流入口３の方へ移動させ、流入口３を閉塞することができる。【選択図】図１
2013256995.tif 000002
【特許請求の範囲】
【請求項１】
流入口を有する流入路と、前記流入路の下流に連通する流出口を有する流出路と、前記流入路の部分に設けられてなる逆止弁と、前記流入路を閉塞する機能を有する止水弁を有することを特徴とする多機能弁装置。
【請求項２】
前記逆止弁は、前記流入口を閉塞する形状の部材を有し、前記流入路上流側に設けられた弁座と、前記流入口の下流に設けられてなる退避路との間を移動するように、配置されてなることを特徴とする、請求項１に記載の多機能弁装置。
【請求項３】
前記止水弁は、ブラインドフランジに設けられた雌ネジ部に螺合する止水用ボルトを有する部材を有し、前記ネジの回転により、前記逆止弁を前記流入口の方向に移動させて流入口を閉塞する機能を有することを特徴とする、請求項１ないし請求項２のいずれかに記載の止水用ボルト。
【請求項４】
請求項１ないし請求項３のいずれかに記載の止水用ボルトを有することを特徴とするポンプ施設。
【発明の詳細な説明】
【技術分野】
【０００１】
本発明は、多機能弁装置およびポンプ施設に関する。
【背景技術】
【０００２】
図２に示すように一般的なポンプ施設には、主に流入管２０、ポンプ２１、逆止弁２２、止水弁２３、流出管２４より構成されている。
【先行技術文献】
【特許文献】
【０００３】
【特許文献１】特許第４９６０５２０号
【特許文献２】特願２０１２−１０５４９３
【発明の概要】
【発明が解決しようとする課題】
【０００４】
図２に示すように上記の従来技術では多くの配管材があり、材料費の増大、据付工事費の増大になっていた。
【０００５】
逆止弁、止水弁があるため、それぞれの弁材料費及び組立費に多大なコストを要していた。
【０００６】
本発明は、このような課題に着目してなされたもので、多機能弁装置に逆止弁及び止水弁の機能を付与することにより、逆止弁及び止水弁が不要となる。
【課題を解決するための手段】
【０００７】
上記目的を達成するため本発明に係る多機能弁装置は、流入路 ２ を有する流入口 3と、流出路 ４を有する流出口 ５とを有する。
【０００８】
逆止弁は前記流入路４ の下流部に連通する退避路６ と、流入路上流部に設けられた弁座７との間に移動可能に設けられ、弁座 ７とともに前記流出口 ５から流入口 ３への逆流を防止する逆止弁機能を有することを特徴とする。
【０００９】
また、逆止弁が異物等の噛み込みにより下降が困難な状況下に陥った場合、ブラインドフランジ９の中央部にメネジ加工された孔１０より、ボルト１１を挿入し、強制的に逆止弁を押下げによる止水弁機能を有することをも特徴とする。
【００１０】
本発明に係るポンプ施設は流入管２０と、流入口 ３に送るポンプ２１と、多機能弁装置と、流出管２４とを、有することを特徴とする。
【００１１】
本発明では逆止弁、止水弁をなくし、多機能弁装置にそれぞれの機能を付与し、多機能弁装置は主にＴ字管１個と、曲管1個と、止水弁機能付逆止弁 １個とで構成することができる。
【発明の効果】
【００１２】
本発明によれば、多機能弁装置に逆止弁及び止水弁の機能を付与することにより、逆止弁及び止水弁及が不要となり、材料費及び据付工事費の削減、施工性及び施工品質向上、工事費の削減ができる多機能弁装置およびポンプ施設を提供することができる。
【図面の簡単な説明】
【００１３】
【図１】本発明の実施形態の多機能弁装置を採用した立面図である。
【図２】従来のポンプ施設の立面図である。
【図３】多機能弁装置断面図である。
【発明を実施するための形態】
【００１４】
以下、図面に基づき、本発明の実施の形態について説明する。
図３に本発明の実施の形態の多機能弁装置を示す。多機能弁装置は 主に逆止弁 １、T字管１２、フランジ８,ブラインドフランジ9で構成され、フランジ類はそれぞれボルト、パッキンで締結されている。
【００１５】
前記多機能弁装置の管体製作はロストワックス鋳造品などより形成する鋳鋼製ではなく、市販されているステンレス管材で加工できるので簡単に製作が可能で製作日数が短く、製作コストも廉価であり、多品種、少量生産に向いている。
【００１６】
多機能弁装置は上流側に流入口 ３、下流側に流出口 ５を形成し、流入路 ２の上流側にリング状の弁座７を設け、多機能弁装置の流入口 ３の上流に逆止弁 １を退避させる退避路 ６を形成している。
【００１７】
逆止弁 １は退避路 ６から挿入し収納され、前記逆止弁 １の外径は弁座７の径より大きく形成され、流入口 ３に流出しないようにしている。
【００１８】
以上のように多機能弁装置は、主に流入路２と、流出路 ４と、弁座７と、逆止弁 １とを有している。流入路２ は、流入口 ３を有し、流出路 ４は流出口 ５を有し、流出口 ５は流入口 ３ に連通している。流入路 ２の上流側に弁座状の弁座７有することを特徴とする。 
【００１９】
逆止弁 １は、流入口 ３の上部の退避路 ６と弁座７との間に移動可能に設けられている。逆止弁１は、弁座７とともに流出口 ５から流入口 ３への逆流を防止する逆止弁を構成する。
【００２０】
図２に示すように一般的なポンプ施設には、主に流入管２０、ポンプ２１、逆止弁２２、止水弁２３、流出管２４より構成されている。
ポンプ２１は、流入口 ３に接続され、内部の流体を流入口 ３に送るようになっている。
【００２１】
このような構成において、着座している逆止弁 １は、ポンプ始動時の吐出圧（動圧）によりスムーズに垂直に押上げられ、退避空間 ６に格納される。
【００２２】
また、ポンプ停止時には、退避路 ６に格納されていた逆止弁 １は自重により降下し始め、降下途中から圧送管２４からの逆流圧（動圧）が加わり、確実に弁座７に圧着される。
【００２３】
ここに示した止水用ボルト１１は、ブラインドフランジ９に設けられた雌ネジ部１０に螺合する止水用ボルト１１を有し、多機能弁装置への異物の侵入などの不測の事態が生じた際に、止水用ボルト１１を回転させることで、逆止弁１を流入口３の方へ移動させ、流入口３を閉塞することができる。
【００２４】
ここ示した例では、止水用ボルト１１のヘッドの形状が通常のボルトの六角形となっていて、回転させるにはスパナが必要となるが、適宜ハンドルを取り付けることにより、作業性を向上できるのは論を俟たない。
【符号の説明】
【００２５】
１    逆止弁     
２    流入路
３    流入口
４    流出路
５    流出口
６    退避路
７    弁座
８    フランジ
９    ブラインドフライジ
１０    孔
１１    止水用ボルト
２０    流入管
２１    ポンプ
２２    逆止弁
２３    止水弁
２４    流出管
２５    多機能弁装置
【図１】
2013256995.tif 000003
【図２】
2013256995.tif 000004
【図３】
2013256995.tif 000005